(57)【要約】【課題】一端の２つの端子が内部回路に接続され他端の２つの端子は内部回路に接続されないＬＥＤ蛍光灯を当該ＬＥＤ蛍光灯用の灯具に正しく装着できるアダプタを提供する。【解決手段】アダプタ１０は第１部材１２および第２部材１４を備える。第１部材１２は、ＬＥＤ蛍光灯２４においてＬＥＤ蛍光灯２４の内部回路６０に接続されない端子２６が設けられる他端２３に取り付けられる。第２部材１４は第１部材１２が嵌合される凹部３８を含み、灯具４０において灯具４０の電源回路６８が接続されない第２突出部４２に取り付けられる。第１部材１２が取り付けられたＬＥＤ蛍光灯２４を第２部材１４が取り付けられた灯具４０に装着したとき、第２部材１４は凹部３８に第１部材１２を嵌合させることで第１部材１２を保持し、第１部材１２においてＬＥＤ蛍光灯２４に接触する箇所と第２部材１４において灯具４０に接触する箇所とは絶縁されている。【選択図】図１
2011138638.tif 000002
【特許請求の範囲】
【請求項１】
その一端および他端にそれぞれ２つの端子が設けられ前記一端の２つの端子に内部回路が接続されかつ前記他端の２つの端子には前記内部回路が接続されないＬＥＤ蛍光灯と、前記ＬＥＤ蛍光灯を装着するために前記一端側の第１突出部と前記他端側の第２突出部とを含む灯具と、に取り付けられるアダプタであって、
前記ＬＥＤ蛍光灯の前記他端に取り付けられる第１部材と、
前記灯具の前記第２突出部に取り付けられかつ前記ＬＥＤ蛍光灯が前記灯具に装着される際には前記第１部材を保持する第２部材とを備え、
前記第１部材が取り付けられた前記ＬＥＤ蛍光灯を前記第２部材が取り付けられた前記灯具に装着したとき、前記第１部材において前記ＬＥＤ蛍光灯に接触する箇所と前記第２部材において前記灯具に接触する箇所とは絶縁されている、アダプタ。
【請求項２】
前記第２部材は凹部を含み、前記凹部に前記第１部材を嵌合することで前記第１部材を保持する、請求項１に記載のアダプタ。
【発明の詳細な説明】
【技術分野】
【０００１】
この発明はアダプタに関し、より特定的には、ＬＥＤ蛍光灯を灯具に装着するためのアダプタに関する。
【背景技術】
【０００２】
近年、既存の蛍光灯（以下、「従来蛍光灯」という）に代わる照明器具としてＬＥＤを用いた蛍光灯型ランプ（以下、「ＬＥＤ蛍光灯」という」が使用されている。ＬＥＤ蛍光灯は従来蛍光灯に比べて長寿命で消費電力が少なく、各種の色を発光することができる。一般的に従来蛍光灯とＬＥＤ蛍光灯とは同じ形状を有する。
【０００３】
ところで、直管形状を有する従来蛍光灯およびＬＥＤ蛍光灯は、それぞれの両端に端子が２つずつ設けられる。図７は従来蛍光灯１が従来蛍光灯１用の灯具２に装着した状態を示す図である。従来蛍光灯１の一端に設けられた２つの端子３同士は従来蛍光灯１の内部でフィラメント４に接続され、同様に従来蛍光灯１の他端に設けられた２つの端子３同士は従来蛍光灯１の内部でフィラメント４に接続される。また、従来蛍光灯１を灯具２に装着することで、従来蛍光灯１の一端の１つの端子３および他端の１つの端子３には灯具２の内部の電源回路５が接続され、両端の残りの端子３同士には従来蛍光灯１始動時の電圧を上げるグロー灯を有する回路６が接続される。従来蛍光灯１の内部のフィラメント４は方向性がなく、また、従来蛍光灯１の両端の各端子３に接続される２つのフィラメント４は互いに同じものであるため、従来蛍光灯１を灯具２に接続する向きは制限されない。
【０００４】
一方、ＬＥＤ蛍光灯の場合、グロー灯を接続する必要がないので両端の４つの端子のうち２つの端子は使用しない。ＬＥＤ蛍光灯には、一端の２つの端子にＬＥＤ蛍光灯の内部回路が接続され他端の２つの端子にはＬＥＤ蛍光灯の内部回路が接続されないもの（以下、背景技術、発明が解決しようとする課題において「第１ＬＥＤ蛍光灯」という）と、一端の１つの端子と他端の１つの端子とにＬＥＤ蛍光灯の内部回路が接続され両端の残りの端子にはＬＥＤ蛍光灯の内部回路が接続されないもの（以下、背景技術、発明が解決しようとする課題において「第２ＬＥＤ蛍光灯」という）とがある。第１ＬＥＤ蛍光灯を装着するための灯具は第１ＬＥＤ蛍光灯の一端にのみ給電するため、灯具内部の電源回路は第１ＬＥＤ蛍光灯の両端を装着するための２つの突出部のうちの一方にのみ接続される。また、第２ＬＥＤ蛍光灯を装着するための灯具では、第２ＬＥＤ蛍光灯の両端を装着するための２つの突出部のうちの一方に灯具内部の電源回路のプラス電極が接続され、他方に灯具内部の電源回路のマイナス電極が接続される。このようにＬＥＤ蛍光灯およびＬＥＤ蛍光灯用の灯具には方向性があるため、ＬＥＤ蛍光灯はＬＥＤ蛍光灯用の灯具に対して正しい方向で装着されなければならない。
【０００５】
従来蛍光灯、第１ＬＥＤ蛍光灯および第２ＬＥＤ蛍光灯は同じ形状を有しており、外観だけで従来蛍光灯、第１ＬＥＤ蛍光灯および第２ＬＥＤ蛍光灯を判別するのは困難である。また、従来蛍光灯用の灯具、第１ＬＥＤ蛍光灯用の灯具および第２ＬＥＤ蛍光灯用の灯具は同じ形状を有しており、外観だけで従来蛍光灯用の灯具、第１ＬＥＤ蛍光灯用の灯具および第２ＬＥＤ蛍光灯用の灯具を判別するのは困難である。そのため、従来蛍光灯と第１ＬＥＤ蛍光灯と第２ＬＥＤ蛍光灯とを間違えるおそれがある。同様に従来蛍光灯用の灯具と第１ＬＥＤ蛍光灯用の灯具と第２ＬＥＤ蛍光灯用の灯具とを間違えるおそれがある。上述のような問題によって、それぞれの蛍光灯を誤った灯具に装着した場合、以下のような不都合が起こる。
【０００６】
従来蛍光灯用の灯具に誤って第１ＬＥＤ蛍光灯を装着した場合、第１ＬＥＤ蛍光灯の内部回路に電圧がかからず第１ＬＥＤ蛍光灯は発光しない。従来蛍光灯用の灯具に誤って第２ＬＥＤ蛍光灯を装着した場合、第２ＬＥＤ蛍光灯の内部回路に逆電圧がかかる可能性があり第２ＬＥＤ蛍光灯の内部回路が破損する可能性がある。
【０００７】
第１ＬＥＤ蛍光灯用の灯具に誤って従来蛍光灯を装着した場合、従来蛍光灯の内部の一方のフィラメントに電圧がかかりフィラメントが破損してしまう可能性がある。第１ＬＥＤ蛍光灯用の灯具に誤って第２ＬＥＤ蛍光灯を装着した場合、第２ＬＥＤ蛍光灯の内部回路に電圧がかからず第２ＬＥＤ蛍光灯は発光しない。
【０００８】
第２ＬＥＤ蛍光灯用の灯具に誤って従来蛍光灯を装着した場合、従来蛍光灯の内部のフィラメントに電圧がかからず従来蛍光灯は発光しない。第２ＬＥＤ蛍光灯用の灯具に誤って第１ＬＥＤ蛍光灯を装着した場合、第１ＬＥＤ蛍光灯の内部回路に電圧がかからず第１ＬＥＤ蛍光灯は発光しない。
【０００９】
特許文献１には、従来蛍光灯を灯具に取り付ける際に、従来蛍光灯の取付を容易にするためのアダプタが開示されている。
【先行技術文献】
【特許文献】
【００１０】
【特許文献１】特開２００１−１４３８３７号公報
【発明の概要】
【発明が解決しようとする課題】
【００１１】
しかし、特許文献１に開示されているアダプタは灯具への蛍光灯の取付を容易にすることが目的であり、従来蛍光灯および従来蛍光灯用の灯具だけでなく、第１ＬＥＤ蛍光灯および第１ＬＥＤ蛍光灯用の灯具や、第２ＬＥＤ蛍光灯および第２ＬＥＤ蛍光灯用の灯具にも取り付けることができる。そのため、このようなアダプタを蛍光灯および灯具に取り付けても、アダプタを取り付けた蛍光灯および灯具が、従来蛍光灯および従来蛍光灯用の灯具か、第１ＬＥＤ蛍光灯および第１ＬＥＤ蛍光灯用の灯具か、第２ＬＥＤ蛍光灯および第２ＬＥＤ蛍光灯用の灯具かはわからない。つまりこのようなアダプタは上述の問題を解決できるものではない。
【００１２】
この発明の主たる目的は、第１ＬＥＤ蛍光灯（一端の２つの端子にＬＥＤ蛍光灯の内部回路が接続され他端の２つの端子にはＬＥＤ蛍光灯の内部回路が接続されないＬＥＤ蛍光灯）を第１ＬＥＤ蛍光灯用の灯具（一端の２つの端子にＬＥＤ蛍光灯の内部回路が接続され他端の２つの端子にはＬＥＤ蛍光灯の内部回路が接続されないＬＥＤ蛍光灯を装着するための灯具）に正しく装着できるアダプタを提供することである。
【課題を解決するための手段】
【００１３】
上述の目的を達成するために、請求項１に記載のアダプタは、その一端および他端にそれぞれ２つの端子が設けられ一端の２つの端子に内部回路が接続されかつ他端の２つの端子には内部回路が接続されないＬＥＤ蛍光灯と、ＬＥＤ蛍光灯を装着するために一端側の第１突出部と他端側の第２突出部とを含む灯具と、に取り付けられるアダプタであって、ＬＥＤ蛍光灯の他端に取り付けられる第１部材と、灯具の第２突出部に取り付けられかつＬＥＤ蛍光灯が灯具に装着される際には第１部材を保持する第２部材とを備え、第１部材が取り付けられたＬＥＤ蛍光灯を第２部材が取り付けられた灯具に装着したとき、第１部材においてＬＥＤ蛍光灯に接触する箇所と第２部材において灯具に接触する箇所とは絶縁されていることを特徴とする。
【００１４】
請求項２に記載のアダプタは、請求項１に記載のアダプタにおいて、第２部材は凹部を含み、凹部に第１部材を嵌合することで第１部材を保持することを特徴とする。
【００１５】
請求項１に記載のアダプタでは、第１部材が、一端の２つの端子にＬＥＤ蛍光灯の内部回路が接続され他端の２つの端子にはＬＥＤ蛍光灯の内部回路が接続されないＬＥＤ蛍光灯（以下、課題を解決するための手段において「第１ＬＥＤ蛍光灯」という）の他端に取り付けられる。第２部材は、第１ＬＥＤ蛍光灯を装着するための灯具の第２突出部に取り付けられる。第１部材が取り付けられた蛍光灯および第２部材が取り付けられた灯具は外観から第１ＬＥＤ蛍光灯および第１ＬＥＤ蛍光灯用の灯具であることがわかる。第１ＬＥＤ蛍光灯において第１部材が取り付けられた他端は、第１ＬＥＤ蛍光灯用の灯具において第２部材が取り付けられた第２突出部に対応することがわかり、第１ＬＥＤ蛍光灯において第１部材が取り付けられていない一端は、第１ＬＥＤ蛍光灯用の灯具において第２部材が取り付けられていない第１突出部に対応することがわかる。そのため、第１ＬＥＤ蛍光灯の一端は、第１ＬＥＤ蛍光灯用の灯具の第１突出部にたとえばソケットを介して接続され、第１ＬＥＤ蛍光灯の他端は、第１ＬＥＤ蛍光灯用の灯具の第２突出部に第１部材および第２部材を介して接続される。したがって、このようなアダプタを用いることにより第１ＬＥＤ蛍光灯を第１ＬＥＤ蛍光灯用の灯具に正しく装着できる。
【００１６】
また、第１部材が取り付けられた第１ＬＥＤ蛍光灯の他端と第２部材が取り付けられた第１ＬＥＤ蛍光灯用の灯具の第２突出部とは電気的に絶縁されている。そのため、たとえば、第１ＬＥＤ蛍光灯用の灯具の第２突出部が帯電していたとしても第１ＬＥＤ蛍光灯の他端には電圧がかからないため、第１ＬＥＤ蛍光灯の他端を触って感電することはない。したがって、このようなアダプタは、第１ＬＥＤ蛍光灯を第１ＬＥＤ蛍光灯用の灯具に着脱する際の安全性を向上できる。
【００１７】
請求項２に記載のアダプタでは、第１部材と第２部材の凹部とが嵌合することで第２部材は第１部材を保持する。第１部材と第２部材の凹部とが嵌合して第１ＬＥＤ蛍光灯を第１ＬＥＤ蛍光灯用の灯具に装着する場合、端子を第１ＬＥＤ蛍光灯用の灯具のソケットに挿し込んで第１ＬＥＤ蛍光灯用の灯具に装着する場合に比べて第１ＬＥＤ蛍光灯と第１ＬＥＤ蛍光灯用の灯具との接続部分の接触面積が大きい。そのため、このようなアダプタを取り付けることにより第１ＬＥＤ蛍光灯が落下するのを防止できる。
【発明の効果】
【００１８】
この発明によれば、一端の２つの端子にＬＥＤ蛍光灯の内部回路が接続され他端の２つの端子にはＬＥＤ蛍光灯の内部回路が接続されないＬＥＤ蛍光灯を、当該ＬＥＤ蛍光灯を装着するための灯具に正しく装着できるアダプタが得られる。
【図面の簡単な説明】
【００１９】
【図１】この発明の一実施形態のアダプタを示す分解斜視図である。
【図２】（ａ）は図１のアダプタの第１部材を示す正面図であり、（ｂ）は図１のアダプタの第１部材を示す側面図であり、（ｃ）は図１のアダプタの第１部材を示す背面図である。
【図３】（ａ）は図１のアダプタの第２部材を示す正面図であり、（ｂ）は図１のアダプタの第２部材を示す背面図であり、（ｃ）は図１のアダプタの第２部材を示す側面図であり、（ｄ）は図１のアダプタの第２部材の断面を示す断面図である。
【図４】（ａ）は第１部材をＬＥＤ蛍光灯に取り付けた状態を示す側面図であり、（ｂ）はＬＥＤ蛍光灯に取り付けられた第１部材付近を拡大した拡大図である。
【図５】（ａ）は第２部材をＬＥＤ蛍光灯用の灯具に取り付けた状態を示す側面図であり、（ｂ）は灯具に取り付けられた第２部材付近を拡大した拡大図である。
【図６】（ａ）は第１部材を取り付けたＬＥＤ蛍光灯を第２部材を取り付けたＬＥＤ蛍光灯用の灯具に装着した状態を示す側面図であり、（ｂ）は第１部材および第２部材付近を拡大した拡大図である。
【図７】従来蛍光灯を従来蛍光灯用の灯具に装着した状態を示す側面図である。
【発明を実施するための形態】
【００２０】
以下、この発明の実施形態について図面を参照して説明する。なお、図１において矢印Ａ−Ａで示される方向をアダプタ１０における前後方向とし、第１部材１２側を前、第２部材１４側を後とする。また、下記のＢ〜Ｉは図２および３に矢印で示される部分の寸法である。このような寸法については一例であり、適宜変更してもよい。
【００２１】
図１はこの発明の一実施形態のアダプタ１０を示す分解斜視図である。図１を参照して、アダプタ１０は第１部材１２および第２部材１４を備える。
【００２２】
第１部材１２は２つの円柱が連なった形状を有しかつ第２部材１４の凹部３８（後述）と嵌合するような形状を有する。第１部材１２の前面１６にはテーパ１８を介して第１取付穴２０が２つ設けられる。テーパ１８は第１取付穴２０の円心に向かうにつれ前面１６から後方に向かって傾斜する。また、２つの円柱の間には間隔があり空洞２２が形成されている。
【００２３】
第１部材１２には絶縁体を含んだ材質が用いられ、この実施形態における第１部材１２は、たとえば、絶縁体のハイインパクトポリプロピレン樹脂によって構成される。
【００２４】
第１部材１２は、一端５９（後述）に２つの端子６２（後述）が設けられ他端２３に２つの端子２６が設けられるＬＥＤ蛍光灯２４の２つの端子２６を２つの第１取付穴２０にそれぞれ挿入することでＬＥＤ蛍光灯２４に取り付けられる。
【００２５】
第２部材１４は略半円柱状の突起部２８を側面に２つ設けかつ平面３０によって後方から側面の一部が切り取られたような円柱形状を有する。２つの突起部２８の内側にはそれぞれ第２部材１４の後面５２（後述）で開口する第２取付穴３２が設けられる。また、第２部材１４は第１前面３４と、第１前面３４より前に突出した第２前面３６とを含み、第１前面３４と第２前面３６との間に第１部材１２と嵌合するような凹形状を有する凹部３８を含む。
【００２６】
第２部材１４には絶縁体を含んだ材質が用いられ、この実施形態における第２部材１４は、たとえば、絶縁体のハイインパクトポリプロピレン樹脂によって構成される。
【００２７】
第２部材１４は、ＬＥＤ蛍光灯２４の一端５９を装着するための第１突出部６６（後述）とＬＥＤ蛍光灯２４の他端２３を装着するための第２突出部４２を含む灯具４０の第２突出部４２に取り付けられる。第２部材１４を第２突出部４２に取り付けるためには、第２突出部４２に設けられた２つの取付ピン４４を２つの第２取付穴３２にそれぞれ挿入すればよい。
【００２８】
図２（ａ）は第１部材１２を示す正面図である。図２（ａ）を参照して、第１部材１２の前面１６は２つの円を直線接続部４６および曲線接続部４８によって繋ぎ合わせた形状を有する。空洞２２は２つの円と直線接続部４６と曲線接続部４８とによって形成される。また、各第１取付穴２０はそれぞれ２つの円の中心に設けられる。各第１取付穴２０の中心間の距離Ｂは１２．７ｍｍである。
【００２９】
図２（ｂ）は第１部材１２において２つの円柱が重なる方向から見た側面図である。図２（ｂ）を参照して、第１部材１２の前面１６から後面５０までの距離Ｃは９．５ｍｍである。第１取付穴２０の深さＤは７ｍｍであり、第１取付穴２０は前面１６から後面５０に貫通しない。
【００３０】
図２（ｃ）は第１部材１２の背面図である。図２（ｃ）を参照して、後面５０は前面１６と同じ外形であり、第１取付穴２０および空洞２２が前面１６から後面５０に貫通していないため、後面５０は平らである。
【００３１】
図３（ａ）は第２部材１４を示す正面図である。図３（ａ）を参照して、第２部材１４は前方から見ると円の側面に略半円を２つ取り付けたような外形を有する。略半円はそれぞれ突起部２８を前方から見たときの形状であり、円の直径Ｅは３３ｍｍである。また円の中心には第１部材１２の前面１６および後面５０と略同じ外形の凹部３８が設けられる。第２前面３６は凹部３８の下部を覆うような形状を有し、第１前面３４と第２前面３６とを合わせると外形が円になる。
【００３２】
図３（ｂ）は第２部材１４を示す背面図である。図３（ｂ）を参照して、第２部材１４の後面５２は第２部材１４の外縁に沿った略円環状の面である。各突起部２８の内側には第２取付穴３２がそれぞれ設けられる。各第２取付穴３２の中心間の距離Ｆは３１．５ｍｍである。また、後面５２の内側には図３（ａ）における凹部３８の外形をわずかに大きくした外形を有する凹部３８の後面５４がある。
【００３３】
図３（ｃ）は第２部材１４を示す側面図である。図３（ｃ）を参照して、第２前面３６から後面５２までの距離Ｇは１２．５ｍｍである。また、突起部２８および平面３０の前後方向の距離は距離Ｇよりも短い。
【００３４】
図３（ｄ）は図３（ａ）および図３（ｂ）における第２部材１４のｈ−ｈ断面を示す断面図である。図３（ｄ）を参照して、第２前面３６から後面５２までの距離と第１前面３４から後面５２までの距離との差である距離Ｈは２．５ｍｍである。また、凹部３８の第２前面３６からの深さＩは９．５ｍｍである。つまり凹部３８の第２前面３６からの深さＩと第１部材１２の前面１６から後面５０までの距離Ｃは同じである。そのため、第１部材１２と第２部材１４の凹部３８とが嵌合したとき、第１部材１２の前面１６と第２部材１４の第２前面３６とは面一となる。
【００３５】
以下、アダプタ１０の使用方法を説明する。なお、図４〜図６は、ＬＥＤ蛍光灯２４の一端５９に端子６２が２つ設けられ、他端２３に端子２６が２つ設けられることを明確に示すため、２つの端子６２（または２つの端子２６）がそれぞれ垂直に並ぶようにＬＥＤ蛍光灯２４を配置したときの側面図である。
【００３６】
図４（ａ）は他端２３にアダプタ１０の第１部材１２が取り付けられたＬＥＤ蛍光灯２４を示す側面図であり、図４（ｂ）は図４（ａ）においてＬＥＤ蛍光灯２４の他端２３付近を拡大した図である。
【００３７】
図４（ａ）を参照して、ＬＥＤ蛍光灯２４はパイプ部材５６およびパイプ部材５６の両端に配置される一対の口金５８を含む。ＬＥＤ蛍光灯２４の一端５９にはＬＥＤ蛍光灯２４の内部回路６０に接続された端子６２が２つ設けられ、ＬＥＤ蛍光灯２４の他端２３にはＬＥＤ蛍光灯２４の内部回路６０には接続されない端子２６が２つ設けられる。
【００３８】
図４（ｂ）を参照して、第１部材１２は、ＬＥＤ蛍光灯２４の内部回路６０に接続されない２つの端子２６をそれぞれ２つの第１取付穴２０に挿入させることでＬＥＤ蛍光灯２４の他端２３に取り付けられる。
【００３９】
図５（ａ）はＬＥＤ蛍光灯２４を装着するための灯具４０の第２突出部４２にアダプタ１０の第２部材１４を取り付けた状態を示す側面図である。また、図５（ｂ）は図５（ａ）において灯具４０の第２突出部４２に取り付けられた第２部材１４付近を拡大した図である。ここでは、灯具４０の第２突出部４２の２つの取付ピン４４はそれぞれ垂直に並ぶように配置され、第２部材１４は２つの突起部２８がそれぞれ垂直に並ぶように第２突出部４２に取り付けられているものとする。
【００４０】
図５（ａ）を参照して、灯具４０は本体部６４、第１突出部６６および第２突出部４２を含む。本体部６４の内部にはＬＥＤ蛍光灯２４を発光させるための電源回路６８が設けられる。電源回路６８は第１突出部６６を介して第１突出部６６に取り付けられたソケット７０に接続される。
【００４１】
図５（ｂ）を参照して、第２部材１４は、灯具４０において電源回路６８と電気的に接続されない第２突出部４２に設けられた２つの取付ピン４４をそれぞれ２つの第２取付穴３２に挿入させることで第２突出部４２に取り付けられる。
【００４２】
図６（ａ）はアダプタ１０の第１部材１２を取り付けたＬＥＤ蛍光灯２４をアダプタ１０の第２部材１４を取り付けた灯具４０に装着した状態を示す側面図である。また、図６（ｂ）は図６（ａ）において第１部材１２および第２部材１４付近を拡大した図である。
【００４３】
図６（ａ）を参照して、ＬＥＤ蛍光灯２４は灯具４０に装着される。ＬＥＤ蛍光灯２４においてアダプタ１０の第１部材１２が取り付けられていない一端５９は、灯具４０の第１突出部６６にソケット７０を介して接続される。ＬＥＤ蛍光灯２４の内部回路６０に接続された端子６２はソケット７０に挿し込まれ、灯具４０の電源回路６８に接続される。また、ＬＥＤ蛍光灯２４においてアダプタ１０の第１部材１２が取り付けられた他端２３は、灯具４０の第２突出部４２にアダプタ１０を介して接続される。
【００４４】
図６（ｂ）を参照して、ＬＥＤ蛍光灯２４の他端２３に取り付けられた第１部材１２は、灯具４０の第２突出部４２に取り付けられた第２部材１４の凹部３８と嵌合することで第２部材１４に保持される。このとき、第１部材１２および第２部材１４は絶縁体で構成されていることから第１部材１２においてＬＥＤ蛍光灯２４に接触する箇所と第２部材１４において灯具４０に接触する箇所とは絶縁されている。
【００４５】
上述のようなアダプタ１０では、第１部材１２が、ＬＥＤ蛍光灯２４の他端２３に取り付けられる。第２部材１４は、灯具４０においてＬＥＤ蛍光灯２４の他端２３を装着するための第２突出部４２に取り付けられる。第１部材１２が取り付けられた蛍光灯および第２部材１４が取り付けられた灯具は外観からＬＥＤ蛍光灯２４およびＬＥＤ蛍光灯２４用の灯具４０であることがわかる。ＬＥＤ蛍光灯２４において第１部材１２が取り付けられた他端２３は、灯具４０において第２部材１４が取り付けられた第２突出部４２に対応することがわかり、ＬＥＤ蛍光灯２４において第１部材１２が取り付けられていない一端５９は、灯具４０においてソケット７０が取り付けられた第１突出部６６に対応することがわかる。そのため、ＬＥＤ蛍光灯２４の一端５９は、灯具４０の第１突出部６６にソケット７０を介して接続され、ＬＥＤ蛍光灯２４の他端２３は、灯具４０の第２突出部４２にアダプタ１０を介して接続される。したがって、アダプタ１０を用いることによりＬＥＤ蛍光灯２４をＬＥＤ蛍光灯２４用の灯具４０に正しく装着できる。
【００４６】
また、ＬＥＤ蛍光灯２４の寿命等によりＬＥＤ蛍光灯２４を交換する場合、ＬＥＤ蛍光灯２４に取り付けられた第１部材１２および灯具４０に取り付けられた第２部材１４の特有の形状によって、灯具４０には第１部材１２が取り付けられたＬＥＤ蛍光灯が対応することがわかる。したがって、ＬＥＤ蛍光灯２４を交換する際にも、灯具４０に対応するＬＥＤ蛍光灯を正しく装着できる。
【００４７】
この実施形態のアダプタ１０は第１部材１２が取り付けられたＬＥＤ蛍光灯２４の他端２３と第２部材１４が取り付けられた灯具４０の第２突出部４２とは電気的に絶縁されている。そのため、たとえば、灯具４０の第２突出部４２が帯電していたとしてもＬＥＤ蛍光灯２４の他端２３には電圧がかからないため、ＬＥＤ蛍光灯２４の他端２３を触って感電することはない。したがって、アダプタ１０は、ＬＥＤ蛍光灯２４を灯具４０に着脱する際の安全性を向上できる。
【００４８】
この実施形態のアダプタ１０では、第１部材１２と第２部材１４の凹部３８とが嵌合することで第２部材１４は第１部材１２を保持する。第１部材１２を第２部材１４の凹部３８に嵌合してＬＥＤ蛍光灯２４を灯具４０に装着する場合、たとえば、端子２６をソケット７０に挿し込んでＬＥＤ蛍光灯２４を灯具４０に装着する場合に比べてＬＥＤ蛍光灯２４と灯具４０との接続部分の接触面積が大きい。そのため、アダプタ１０を取り付けることによりＬＥＤ蛍光灯２４が落下するのを防止できる。
【００４９】
上述の実施形態では、アダプタ１０において第１部材１２と第２部材１４の凹部３８とが嵌合することで第２部材１４は第１部材１２を保持するが、この発明はこれに限定されない。第１部材が凹部を有し、第１部材の凹部と第２部材とが嵌合することで第１部材が第２部材に保持されてもよい。
【００５０】
また、第１部材１２および第２部材１４を正面から見たとき、第１部材１２および凹部３８の外形は第１部材１２が周方向に回転しない形状であればどのようなものでもよい。
【００５１】
この実施形態における第１部材１２および第２部材１４は絶縁体のハイインパクトポリプロピレン樹脂によって構成されているが、この発明はこれに限定されない。ＬＥＤ蛍光灯２４を灯具４０に装着したとき、第１部材１２においてＬＥＤ蛍光灯２４に接触する箇所と第２部材１４において灯具４０に接触する箇所とが絶縁されていればどのような材料構成でもよい。
【符号の説明】
【００５２】
１０      アダプタ
１２      第１部材
１４      第２部材
２０      第１取付穴
２３      ＬＥＤ蛍光灯の他端
２４      ＬＥＤ蛍光灯
２６，６２      端子
３２      第２取付穴
３８      凹部
４０      灯具
４２      第２突出部
５９      ＬＥＤ蛍光灯の一端
６６      第１突出部
【図１】
2011138638.tif 000003
【図２】
2011138638.tif 000004
【図３】
2011138638.tif 000005
【図４】
2011138638.tif 000006
【図５】
2011138638.tif 000007
【図６】
2011138638.tif 000008
【図７】
2011138638.tif 000009